(57)【要約】      （修正有）【課題】毛髪化粧料用陳列トレイに取り付けられた毛束見本を自由に手に取りやすく、毛髪化粧料使用後の毛髪の色彩の確認や手触り感を店頭にて確認しやすく、毛髪化粧料用トレイ前面の広告訴求面積を確保することができる毛髪化粧料用トレイを提供する。【解決手段】上面に毛髪化粧料を載置する台板部３と、該台板部の前端に立設された前板部５と、該前板部の上端部から前方へ下がるように傾斜する表示部６と、該表示部に取り付けられた毛束見本７からなる毛髪化粧料用陳列トレイであって、前記毛束見本は、紐状部材８２によって前記表示部から吊り下げられている。【選択図】図１
2008033340.tif 000002
【特許請求の範囲】
【請求項１】
上面に毛髪化粧料を載置する台板部と、該台板部の前端に立設された前板部と、該前板部の上端部から前方へ下がるように傾斜する表示部と、該表示部に取り付けられた毛束見本からなる毛髪化粧料用陳列トレイであって、
前記毛束見本は、紐状部材によって前記表示部から吊り下げられていることを特徴とする毛髪化粧料用陳列トレイ。
【請求項２】
前記表示部が、側面視円弧状の凸曲面に形成されていることを特徴とする請求項１に記載の毛髪化粧料用陳列トレイ。
【請求項３】
前記表示部上端部には水平部が設けられ、前記毛束見本は、前記水平部から吊り下げられていることを特徴とする請求項１又は２に記載の毛髪化粧料用陳列トレイ。
【請求項４】
前記表示部前面から間隔を隔てて該表示部を覆うように透明カバーが設けられ、該透明カバーは側面視円弧状の凸曲面に形成されていることを特徴とする請求項１〜３いずれかに記載の毛髪化粧料用陳列トレイ。
【請求項５】
前記毛束見本は、前記表示部に着脱可能に係合する楕円柱状の固定具から吊り下げられていることを特徴とする請求項１〜４いずれかに記載の毛髪化粧料用陳列トレイ。
【請求項６】
前記毛束見本は、前記紐状部材を巻き取る方向に付勢している巻き取り機構を介して吊り下げられていることを特徴とする請求項１〜５いずれかに記載の毛髪化粧料用陳列トレイ。
【発明の詳細な説明】
【技術分野】
【０００１】
本発明は、毛束見本を有する毛髪化粧料用陳列トレイに関する。
【背景技術】
【０００２】
販売店で毛髪化粧料、特に毛髪染毛剤や毛髪脱色剤などが販売されるときには、販売されている毛髪化粧料を実際に使用した場合に、毛髪の色彩や手触りが実際にどのように仕上がるかを示すために、毛束見本が使用されている。この毛束見本は、販売されている毛髪化粧料が載置されているトレイに取り付けられ、毛髪化粧料の効果を示すようになっている。
【０００３】
従来の毛髪化粧料用陳列トレイは、図９のように、毛束見本７が毛髪化粧料用陳列トレイ１の表示部６の左側部に取り付けられ、表示部６の右側部には製品名、ブランド名、製品情報が記載されているものが多い。また、図９よりも毛束見本７を下方に取り付け、上部にブランド名や商品名を記載し、商品情報については右側部に記載されている場合もある。
しかし、毛束見本は、毛髪化粧料用陳列トレイ前面に固定されているため、毛束見本を手に取りにくく、毛髪化粧料使用後の毛髪の色彩や手触り感を店頭にて確認しにくいという問題が生じている。また、毛束見本が毛髪化粧料用陳列トレイ前面に固定されていることから、毛髪化粧料用陳列トレイの限りある表示部の一部を占有するため、トレイ前面の広告訴求面積が減少するという問題も生じている。
【０００４】
トレイ前面の広告面が減少するという問題を解決するため、例えば、実用新案登録第３０９３９９０号公報では、台板部分に特定種類の化粧料に関する情報が記載された情報板が着脱自在に取着され、台板部分に該当する化粧料を載置することができる毛髪化粧料用陳列トレイが提案されている。情報板を容易に取り替えることができるため、毛髪化粧料に関する情報を容易に交換することが可能となり、場合によっては情報を追加することができる。
【０００５】
しかしながら、情報板に記載された情報を交換することは可能であっても、一度に情報板に記載することができる情報量には限りがあるため、毛束見本が毛髪化粧料用陳列トレイ前面に固定されていることによる毛髪化粧料用陳列トレイ前面の広告訴求面積が減少するという問題は解決できていない。また、毛束見本の手に取りやすさについては、全く解決できていない。
【０００６】
【特許文献１】実用新案登録第３０９３９９０号公報
【発明の開示】
【発明が解決しようとする課題】
【０００７】
本発明は、上述したような従来技術の問題点を解決すべくなされたものであって、毛髪化粧料用陳列トレイに取り付けられた毛束見本を自由に手に取りやすく、毛髪化粧料使用後の毛髪の色彩や手触り感を店頭にて確認しやすい毛髪化粧料用陳列トレイを提供することを目的とする。また、毛髪化粧料用陳列トレイ前面の広告訴求面積を確保することができる毛髪化粧料用陳列トレイを提供することを目的とする。
【課題を解決するための手段】
【０００８】
請求項１に係る発明は、上面に毛髪化粧料を載置する台板部と、該台板部の前端に立設された前板部と、該前板部の上端部から前方へ下がるように傾斜する表示部と、該表示部に取り付けられた毛束見本からなる毛髪化粧料用陳列トレイであって、前記毛束見本は、紐状部材によって前記表示部から吊り下げられていることを特徴とする毛髪化粧料用陳列トレイに関する。
【０００９】
請求項２に係る発明は、前記表示部が、側面視円弧状の凸曲面に形成されていることを特徴とする請求項１に記載の毛髪化粧料用陳列トレイに関する。
【００１０】
請求項３に係る発明は、前記表示部上端部には水平部が設けられ、前記毛束見本は、前記水平部から吊り下げられていることを特徴とする請求項１又は２に記載の毛髪化粧料用陳列トレイに関する。
【００１１】
請求項４に係る発明は、前記表示部前面から間隔を隔てて該表示部を覆うように透明カバーが設けられ、該透明カバーは側面視円弧状の凸曲面に形成されていることを特徴とする請求項１〜３いずれかに記載の毛髪化粧料用陳列トレイに関する。
【００１２】
請求項５に係る発明は、前記毛束見本は、前記表示部に着脱可能に係合する楕円柱状の固定具から吊り下げられていることを特徴とする請求項１〜４いずれかに記載の毛髪化粧料用陳列トレイに関する。
【００１３】
請求項６に係る発明は、前記毛束見本は、前記紐状部材を巻き取る方向に付勢している巻き取り機構を介して吊り下げられていることを特徴とする請求項１〜５いずれかに記載の毛髪化粧料用陳列トレイに関する。
【発明の効果】
【００１４】
請求項１に係る発明によれば、毛束見本は、紐状部材によって表示部から吊り下げられていることから、紐状部材の長さの範囲内であればトレイ上に載置された毛髪化粧料の毛束見本を自在に動かすことができ、毛髪化粧料用陳列トレイに取り付けられた毛束見本を購買者は自由に手に取りやすく、毛髪化粧料使用後の毛髪の色彩や手触り感を店頭にて確認しやすい毛髪化粧料用陳列トレイを提供することができる。また、トレイ前面に毛束見本が固定されていないため、毛髪化粧料用トレイ前面の広告訴求面積を確保することができる。
【００１５】
請求項２に係る発明によれば、表示部が、側面視円弧状の凸曲面に形成されていることから、毛束群自体と毛髪化粧料用陳列トレイ前面との間に隙間が形成されるため、毛髪化粧料用陳列トレイに取り付けられた毛束見本をより手に取りやすくすることができる。表示部は曲面で形成されていることから、平面で形成されるよりも面積を広く確保することができ、より毛髪化粧料用陳列トレイ前面の広告訴求面積を広く確保することができる。
【００１６】
請求項３に係る発明によれば、表示部上端部には水平部が設けられ、毛束見本は、水平部から吊り下げられていることから、毛髪化粧料用陳列トレイ前面の広告訴求部には固定具を設けることがなく、より毛髪化粧料用陳列トレイ前面の広告訴求面積を広く確保することができる。
【００１７】
請求項４に係る発明によれば、表示部前面から間隔を隔てて表示部を覆うように透明カバーが設けられ、該透明カバーは側面視円弧状の凸曲面に形成されていることから、毛髪化粧料用陳列トレイに取り付けられた毛束見本を自由に手にとることができることが一目でわかり、毛束群自体と透明カバーとの間に隙間が形成されるため、より毛束見本を自由に手に取りやすくすることができる。毛束見本自体が毛髪化粧料用陳列トレイの前面に接触していないため、毛束見本の浮遊感を演出することができ、購買者は販売されている毛髪化粧料を実際の毛髪に使用した場合のイメージを容易に想像することができる。透明カバーは曲面で形成されていることから、平面で形成されるよりも面積を広く確保することができ、従来より毛髪用化粧料用陳列トレイ前面の広告訴求面積を広く確保することができる。透明カバーは透明に構成されているため、表示部にも毛髪化粧料の広告を行うことができ、よりトレイ前面の広告訴求面積を広く確保することができる。
【００１８】
請求項５に係る発明によれば、毛束見本は、前記表示部に着脱可能に係合する楕円柱状の固定具から吊り下げられていることから、毛束見本が傷んだ場合であっても、毛束見本の結束具自体が表示部に取り付けられる従来の毛髪化粧料用陳列トレイと比べて、容易に毛束見本を交換することができる。固定具が楕円柱状に形成されていることから、固定具を容易に回転させることができ、商品を毛髪化粧料用陳列トレイから降ろすことなく、容易に毛束見本を交換することができる。
【００１９】
請求項６に係る発明によれば、前記毛束見本は前記紐状部材を巻き取る方向に付勢している巻き取り機構を介して吊り下げられていることから、毛髪化粧料用陳列トレイから毛束見本を引き伸ばして自由に手に取ることができる。毛髪化粧料用陳列トレイが、下方の棚や上方の棚に陳列された場合であっても、容易に毛束見本を手に取ることができ、毛髪化粧料使用後の毛髪の色彩や手触り感を容易に確認することができる。
【発明を実施するための最良の形態】
【００２０】
以下、本発明に係る毛髪化粧料用陳列トレイの好適な実施形態について、図面を参照しつつ説明する。
図１は、本発明に係る毛髪化粧料用陳列トレイの斜視図である。図２は、本発明に係る毛髪化粧料用陳列トレイの側面図である。
【００２１】
本発明に係る毛髪化粧料用陳列トレイ１は、トレイ本体２と毛束見本７と吊り下げ具８とからなる。
【００２２】
トレイ本体２は、台板部３と側板部４と前板部５と表示部６とからなり、合成樹脂によって一体成型されたものである。トレイ本体２に使用可能な合成樹脂は、特に限定されないが、例えば、ポリスチレン樹脂が挙げられる。トレイ本体２の色彩については特に限定されることはなく、通常は白色が用いられるのが一般的ではあるが、毛髪化粧料用陳列トレイ１の意匠性を考慮して、青色、黒色等着色される場合もあり、また、透明が用いられる場合もある。
【００２３】
台板部３は、トレイ本体２の基礎となるものであって、上部には外箱によって梱包された毛髪化粧料９が載置される。台板部３は平面視略矩形状であり、左右方向の長さについては、載置する毛髪化粧料９が梱包された外箱の大きさによって適宜選択される。前後方向の長さについては、特に限定はされないが、少なくとも１個の毛髪化粧料９を載置することができる程度の長さを要し、２〜３個の毛髪化粧料９を載置可能な長さとするのが好ましい。台板部３の厚みは特に限定されないが、通常は１ｍｍ前後である。台板部３の長手方向側部において、後述する側板部４が立設されていない側（図１では手前側）には、毛髪化粧料用陳列トレイ１を横方向に連結可能とすべく、図１では連結凸部１１が２箇所設けられている。使用する合成樹脂量を軽減することから、図１のように、台板部３には切り抜き穴３１が設けられる場合がある。
【００２４】
側板部４は、台板部３の一方の長手方向側辺（図１では奥側の長辺）に立設されている。側板部４を有することにより、毛髪化粧料９を載置する際に位置決めを行うことができ、複数載置する場合は、揃えて載置することができる。また、側板部４と後述する前板部５とが一体成型されることにより、前板部５のぐらつきを防止することができる。側板部４の高さは、前板部５のぐらつきを防止でき且つ毛髪化粧料９を揃えて載置できる高さがあれば特に限定されないが、例えば１〜２ｃｍでよい。側板部４の厚みは、台板部３の厚みと同様、特に限定はされないが、通常は１ｍｍ前後である。図１では、台板部３から側板部４底部にかけて側板部４が立設する部分において、連結凸部１１と対応する位置に連結凹部１２が２箇所設けられている。連結凸部１１と連結凹部１２とが嵌合することによって、毛髪化粧料用陳列トレイ１は、横方向に連結可能となっている。
【００２５】
前板部５は、後述する表示部６を設けるために、台板部３の前端に立設される。前板部５の高さは、４ｃｍ〜５ｃｍが好ましい。４ｃｍ未満であると、表示部６を設置するための高さが十分ではなく広告訴求面積が減少するため、５ｃｍを超えると、販売店にて実際に陳列棚に陳列された際において、毛髪化粧料９を毛髪化粧料用陳列トレイ１から取り出しにくくなるため、いずれの場合も好ましくない。前板部５の厚みは、台板部３、側板部４の厚みと同様、特に限定はされないが、通常は１ｍｍ前後である。
【００２６】
表示部６は、前板部５の上端部から前方へ下がるように傾斜している。表示部６の表面には、毛髪化粧料用陳列トレイ１に載置されている毛髪化粧料９のブランド名、商品名、着色される色等の商品情報が記載される。商品情報の記載方法については、特に限定されず、表示部６の合成樹脂成型部分自体に印刷してもよく、また、合成樹脂成型部分には印刷されず、印刷された紙等を表示部６に設けてもよい。印刷面保護のため、表示部６に沿って透明なカバー６５が設けられる場合もある。
図２に記載されている表示部６と前板部５との成す角ａは、特には限定されないが、２０〜５０°が好ましい。表示部６の下端６４は、なるべく表示部６の広告訴求面積を多く確保するという観点から、台板部３よりも下方に形成するのが好ましく、長くとも実際に毛髪化粧料用陳列トレイ１を販売店等の陳列棚に載置した場合に、下部に陳列されている商品に影響を与えない程度とする。前板部５と表示部６との接続部分には、カバー溝１０が形成される。前述した表示部６にカバー６５が設けられる形態において、カバー６５の一方の端部はカバー溝１０に折り込まれ、他方の端部は表示部６の下端６４に差し込まれることによってカバー６５は固定される。
【００２７】
毛束見本７は、結束具７１と毛束群７２とからなる。結束具７１は、毛束群７２を保持するものであって、図１では丸型に形成されている。丸型に限定されず、例えば多角形型、意匠性の観点からハート型等でもよい。結束具７１の大きさは、保持する毛束群７２の量によって適宜選択されるが、本発明の目的は表示部６の広告訴求面積を確保することから、結束具７１をなるべく小さく成型することが好ましい。
毛束群７２は、毛髪化粧料用陳列トレイ１に載置される毛髪化粧料９を実際に使用した場合に、毛髪の色彩の仕上がりを確認することができるようにするために設けられる。購買者は、毛束群７２を実際に手に取ることによって、毛髪化粧料使用後の毛髪の色彩や手触り感を店頭にて確認することができる。図１では、毛束群７２の両端部が結束具７１内に保持されている。
【００２８】
吊り下げ具８は、固定具８１と紐状部材８２とからなる。固定具８１は、表示部６に紐状部材８２を介して毛束見本７を吊り下げるための支持部となるべく表示部６に取り付けられる。
紐状部材８２としては、毛束見本７を吊り下げることができるものであれば特に限定されることはないが、鎖、紐、糸、ゴムや付勢ばね等の弾性部材等を使用することができる。紐状部材８２の長さは、固定具８１を表示部６に取り付ける位置と表示部６の大きさによって適宜選択されるが、長くとも実際に毛髪用化粧料用陳列トレイ１を販売店等の陳列棚に載置した場合に、下部に陳列されている商品に影響を与えない程度の長さとするのが好ましい。
【００２９】
本発明に係る毛髪化粧料用陳列トレイ１において、毛束見本７は紐状部材８２によって表示部６から吊り下げられる。毛束見本７が吊り下げられることにより、ある程度自由に毛束見本７を動かせることができるため、毛束見本７を自由に手に取りやすく、毛髪化粧料使用後の毛髪の色彩や手触り感を店頭にて確認しやすい毛髪化粧料用陳列トレイ１とすることができる。トレイ前面に毛束見本７が固定されていないため、表示部６表面の広告訴求面積を確保することができる。
【００３０】
図３は、本発明に係る毛髪化粧料用陳列トレイ１において、表示部６を側面視円弧状の凸曲面に形成した形態の側面図である。本実施形態においては、表示部６が側面視円弧状の凸曲面で形成されている。表示部６が側面視円弧状の凸曲面に形成されていることにより、結束具７１が表示部６の曲面に接触し、毛束群７２と表示部６の曲面との間に隙間が形成されるため、毛束見本７をより自由に手に取りやすく、毛髪化粧料使用後の毛髪の色彩や手触り感を店頭にて確認しやすい毛髪化粧料用陳列トレイ１とすることができる。結束具７１が表示部６の側面視円弧状の凸曲面部において、中間付近に位置するように毛束見本７が吊り下げられることが好ましい。毛束群７２と表示部６との間に形成される隙間がより広くなり、より毛束見本７を自由に手に取りやすくなるからである。
形成される凸曲面は特に限定されないが、側面視において半径１０ｃｍ程度の側面視円弧状の凸曲面が例示される。
【００３１】
図４は、本発明に係る毛髪化粧料用陳列トレイ１において、表示部６上端に水平部６１を形成した実施形態の図である。本実施形態においては、表示部６上端部には水平部６１が設けられ、固定具８１は水平部６１に取り付けられ、毛束見本７は水平部６１から吊り下げられている。水平部６１から吊り下げられていることにより、固定具８１は表示部６の広告訴求面積上に存在しないため、より多くの広告訴求面積を確保することができる。
水平部６１が設けられる幅は、特に限定されないが、固定具８１を取り付け可能な程度の幅を確保することができればよい。
【００３２】
図５は、本発明に係る毛髪化粧料用陳列トレイ１において、表示部前面から間隔を隔てて表示部を覆うように透明カバーが設けられた実施形態の図である。図６は、図５の側面図である。本実施形態においては、表示部６には更に表示部６前面から間隔を隔てて該表示部６を覆うように透明カバー６２が設けられ、透明カバー６２は側面視円弧状の凸曲面に形成されている。透明カバー６２が設けられることにより、毛束見本７を自由に手にとることができることが一目でわかり、図６に示す通り、毛束見本７の毛束群７２と透明カバー６２との間に隙間が形成されることから、より毛束見本７を自由に手に取りやすくすることができる。毛束見本７自体が毛髪化粧料用陳列トレイ１の表示部６に接触していないため、毛束見本７の浮遊感を演出することができ、より実際の毛髪に使用した場合のイメージを想像することができる。透明カバー６２は曲面で形成されていることから、平面で形成されるよりも面積を広く確保することができ、毛髪化粧料用陳列トレイ１前面の広告訴求面積をより広く確保することができる。透明カバー６２は透明に構成されているため、透明カバー６２上と、表示部６上において毛髪化粧料の広告を行うことができ、よりトレイ前面の広告訴求面積を広く確保することができる。
【００３３】
透明カバー６２は、透明素材であれば特に限定はされないが、ＰＥＴを例示することができる。透明カバー６２は、図５では無色透明が使用されているが、意匠性、広告性の観点から青色、赤色等の有色透明であってもよい。透明カバー６２の厚みは、曲面を形成するための弾性変形を行うことができる程度の厚みであれば特に限定されず、通常は、０．３ｍｍ〜０．８ｍｍである。透明カバー６２は、一方の端部はカバー溝１０に折り込まれ、他方の端部は表示部６の下端６４に差し込まれることによって取り付けられる。透明カバー６２が、表示部６の前下がりの長さより長く成型され、表示部６の下端６４に差し込んで表示部６に取り付けた場合に、透明カバー６２が撓むことによって曲面が形成される。透明カバー６２が形成する曲面は、表示部６の前下がりの長さと透明カバー６２が成型される長さを調節することによって適宜変更することが可能であるが、透明カバー６２が表示部６の面垂直方向に生じる隙間が２〜３ｃｍとなるように透明カバー６２の曲面を形成することが好ましい。２ｃｍ未満であると、透明カバー６２が形成する曲面が表示部６と近くなりすぎるため、３ｃｍを超えると、透明カバー６２が撓みすぎ、表面に広告を印刷した場合に読みにくくなるため、いずれの場合も好ましくないからである。
【００３４】
図６の通り、透明カバー６２をさらに長く成型し、適宜折り曲げ、両端部を表示部６の下端６４に差し込むことにより、透明カバー６２と、表示部６のカバー６５を同時に形成することができる。透明カバー６２表面には広告文章、商品情報等を印刷することができ、同時に表示部６にも広告文章、商品情報等を印刷することができるため、広告訴求面積を増加させることができる。
【００３５】
図７は、本発明に係る毛髪化粧料用陳列トレイ１において、固定具８１を係合させることによって毛束見本７を取り付ける実施形態の図であって、（ａ）は図６のＡ方向矢視図であり、（ｂ）は本形態で使用される固定具８１を９０°回転させた側面図であり、（ｃ）は本形態で使用される固定具８１の背面図であり、（ｄ）は本形態で使用される固定具８１を表示部６に係合させた際のＡ方向矢視図である。
【００３６】
表示部６には、係合孔６３が設けられている。固定具８１には図７（ｂ）の通り円柱状の突起８４に係合片８３が設けられており、係合片８３を係合孔６３に挿通し、固定具８１を９０°回転させることにより、係合片８３を表示部６裏面に係合させる。表示部６の裏面側において、表示部６の係合孔６３近傍には図７（ａ）の通り係合突条６６が係合孔６３の長さ方向と直角方向に左右２箇所ずつ並列に設けられている。図７（ｄ）の通り係合片８３が係合突条６６に挟持されることによって、固定具８１が固定される。
【００３７】
本実施形態においては、毛束見本７が吊り下げられている固定具８１は、表示部６に着脱可能に係合されている。着脱可能に係合されていることにより、毛束見本７が傷んだ場合であったとしても、毛髪化粧料用陳列トレイ１から毛髪化粧料９を降ろすことなく、毛束見本７を交換することができる。また、図７（ｃ）の通り、固定具８１は楕円柱状であるため、固定具８１を容易に回転させることができ、商品を毛髪化粧料用陳列トレイ１から降ろすことなく、容易に毛束見本７を交換することができる。
【００３８】
図８は、本発明に係る毛髪化粧料用陳列トレイ１において、紐状部材８２を巻き取る方向に付勢している巻き取り機構１３を有する実施形態の図であり、（ａ）は紐状部材８２が巻き取られた状態の図であり、（ｂ）は毛束見本７を引き伸ばした状態の図である。
本実施形態において、吊り下げ具８は、固定具８１と、巻き取り機構１３と、紐状部材８２とからなる。本実施形態で使用される巻き取り機構１３は、紐状部材８２を巻き取る方向に付勢している。図８では巻き取り機構１３側を固定具８１に取り付け、毛束見本７を紐状部材８２側に取り付けている。
本実施形態においては、毛束見本７は巻き取り機構１３を介して吊り下げられる。従って、本実施形態における毛髪化粧料用陳列トレイ１が通常陳列されている状態では、紐状部材８２は巻き取り機構１３によって巻き取られる方向に付勢されているため、紐状部材８２は巻き取り機構１３に収納され、図８（ａ）の状態で、毛束見本７は表示部６に吊り下げられた状態となる。一方、購買者が毛束見本７を手にとるため、巻き取り機構１３の付勢方向とは逆方向に毛束見本７を引き伸ばした場合は、巻き取り機構１３内に収納されていた紐状部材８２が引き伸ばされ、図８（ｂ）の通り毛束見本７を毛髪化粧料用陳列トレイ１からより遠くまで自由に引っ張ることができ、より毛束見本７を自由に手に取りやすくすることができる。
【００３９】
図８では巻き取り機構１３側を固定具８１に取り付け、紐状部材８２側に毛束見本７が取り付けられているが、逆に、紐状部材８２側を固定具８１に取り付け、巻き取り機構１３側に毛束見本７を取り付ける形態でもよい。この場合、表示部６の広告訴求面積減少を抑制するため、巻き取り機構１３に毛束群７２を取り付け、巻き取り機構１３と結束具７１とを兼用することが好ましい。
【産業上の利用可能性】
【００４０】
本発明は、毛束見本を有する毛髪化粧料用陳列トレイに好適に使用することができる。
【図面の簡単な説明】
【００４１】
【図１】本発明に係る毛髪化粧料用陳列トレイの斜視図である。
【図２】本発明に係る毛髪化粧料用陳列トレイの側面図である。
【図３】本発明に係る毛髪化粧料用陳列トレイにおいて、表示部を側面視円弧状の凸曲面に形成した形態の側面図である。
【図４】本発明に係る毛髪化粧料用陳列トレイにおいて、表示部上端に水平部を形成した実施形態の斜視図である。
【図５】本発明に係る毛髪化粧料用陳列トレイにおいて、表示部上面から間隔を隔てて表示部を覆うように透明カバーが設けられた実施形態の図である。
【図６】図５の側面図である。
【図７】本発明に係る毛髪化粧料用陳列トレイにおいて、固定具を係合させることによって毛束見本を取り付ける実施形態の図であって、（ａ）は図６におけるＡ方向矢視図であって、（ｂ）は本形態で使用される固定具を９０°回転させた側面図であり、（ｃ）は本形態で使用される固定具の背面図であり、（ｄ）は本形態で使用される固定具を表示部に係合させた際のＡ方向矢視図である。
【図８】本発明に係る毛髪化粧料用陳列トレイにおいて、紐状部材を巻き取る方向に付勢している巻き取り機構を有する実施形態の図であって、（ａ）は紐状部材が巻き取られた状態の図であり、（ｂ）は毛束見本を引き伸ばした状態の図である。
【図９】従来の毛髪化粧料用陳列トレイの斜視図である。
【符号の説明】
【００４２】
１    毛髪化粧料用陳列トレイ
２    トレイ本体
３    台板部
４    側板部
５    前板部
６    表示部
７    毛束見本
８    吊り下げ具
１３  巻き取り機構
６１  水平部
６２  透明カバー
８１  固定具
８２  紐状部材
【図１】
2008033340.tif 000003
【図２】
2008033340.tif 000004
【図３】
2008033340.tif 000005
【図４】
2008033340.tif 000006
【図５】
2008033340.tif 000007
【図６】
2008033340.tif 000008
【図７】
2008033340.tif 000009
【図８】
2008033340.tif 000010
【図９】
2008033340.tif 000011